(57)【要約】【課題】浄水器では、外部の使用済み水が給水口から逆流し貯水タンクに入り、有害な有機物質が混入・繁殖することによって、使用者の健康に非常に被害をもたらすという課題があり、これを解決して、家庭用の浄水器として好適で、利便性に優れ、効率的で、高純度で、上質な飲料水が得られ、小型化が可能となる構造または機能を備える浄水器を提供する。【解決手段】少なくとも活性炭フィルター、逆浸透膜フィルター、及びイオン交換樹脂フィルターのそれぞれが、水に溶出しない十分な防錆性能を持った素材からなる３本の円筒体の内部に装着され、この３本の円筒体の後方には前記フィルターを通して処理された浄水を貯水する貯水タンクが設置された構成を有する浄水器であって、所定の吸水ポンプで浄水の給水可能な構造であり、給水口には逆流防止弁が設けられ、凹部付きの貯水タンク、排水機能付きの給水管、有機物質検出機能などを持つ。【選択図】  図４
2008272693.tif 000002
【特許請求の範囲】
【請求項１】
少なくとも活性炭フィルター、逆浸透膜フィルター、及びイオン交換樹脂フィルターのそれぞれが、水に溶出しない防錆性能を持った素材からなる３本の筒体の内部に装着され、この３本の筒体に近接して前記フィルターを通して処理された浄水を貯水する貯水タンクが設置された構成を有する浄水器であって、
所定のモータで駆動される給水ポンプによって、前記貯水タンクから給水管を通して浄水を吸水して給水口から出水を行い、
前記給水管内の給水口に近接した箇所には、給水の流れを止めるための第１閉止弁を設け、
前記第１閉止弁により閉止された箇所から残留水を吸水して外部に排水するための排水パイプを設け、
前記排水パイプは、残留水を吸水するための先端部と排水するための後端部とを有し、前記後端部側の内部には逆流防止用の第２閉止弁を設け、
前記第１閉止弁の閉止時には、前記残留水を、前記排水パイプの先端部から前記第２閉止弁を通して前記後端部から排水する手段を備える、ことを特徴とする浄水器。
【請求項２】
請求項１に記載の浄水器において、
前記給水管を金属性として、給水停止時に微弱な電流を流し、細菌の増殖を妨げる、ことを特徴とする浄水器。
【請求項３】
請求項１に記載の浄水器において、
前記給水管に接続される前記給水ポンプは、所定の水量を貯水する容積を有して、前記浄水器内に設置され、
前記浄水器内の下部には、前記貯水タンクの底部と連結するかまたは別個に、貯水用凹部または第２タンクが設けられ、
前記貯水用凹部または第２タンクは前記給水管に接続されて、前記給水管および給水ポンプの内部で保存された水量を一時的に保存されるように構成されている、ことを特徴とした前記浄水器。
【請求項４】
請求項３に記載の浄水器において、
前記貯水タンクの底部には、前記貯水用凹部または第２タンクが隔壁を介して連結接続されて配設され、
前記隔壁として、水の拡散を防止する構造の隔壁と、吸水に十分な水量が流れるオリフィスが設けられた隔壁と、が配設される、ことを特徴とした前記浄水器。
【請求項５】
請求項３または４に記載の浄水器において、
前記貯水用凹部または第２タンクの近傍には、顕微鏡を備えた画像検知器を設置して、前記貯水用凹部または第２タンクの内部の有機物質の検出を行う、ことを特徴とした前記浄水器。
【請求項６】
請求項５に記載の浄水器において、
前記有機物質を検出したとき、設置されたスピーカーおよび／または表示装置によって警告を行い、貯水タンクの水を全て排水口から排水する、ことを特徴とする浄水器。
【請求項７】
請求項５または６に記載の装置において、
通常時には貯水タンクの照明は青色ＬＥＤの照明あるいは点滅で行い、
前記有機物質を検出した時には、貯水タンクの照明を赤色ＬＥＤに変化させて点滅させる、ことを特徴とする浄水器。
【請求項８】
請求項５に記載の浄水器において、
前記有機物質を検出したとき、設置されたスピーカーおよび／または表示装置によって警告を行い、
通常の給水スイッチによる給水を中止して、前記貯水タンクに貯水された浄水は自動的に全て排水口より排水し、
貯水タンクに貯水された浄水を全て排水口より排水された後に、
所定のスイッチを押して、他の手段によって給水を行う、ことを特徴とする浄水器。
【請求項９】
請求項５に記載の浄水器において、
前記有機物質を検出したとき、設置されたスピーカーおよび／または表示装置によって警告を行い、
通常の給水スイッチによる給水を中止して、前記貯水タンクに貯水された浄水は自動的に全て排水口より排水し、
前記貯水タンクに貯水された浄水が全て排水された後、貯水タンクが満水になるまで、浄水が貯水され、給水口を通じて全ての水が再度排水される、ことを特徴とする浄水器。
【請求項１０】
請求項９に記載の浄水器において、
排水後、前記貯水タンクに浄水が貯水され、前記貯水用凹部または第２タンクにおいて前記画像検出器によって有機物が検出されないことが所定時間継続された後、通常の操作に復帰する、ことを特徴とする浄水器。
【発明の詳細な説明】
【技術分野】
【０００１】
本発明は浄水器に係り、より詳細には、逆浸透膜を使用した高純度な純水を得ることが出来、さらに、イオン交換樹脂と活性化炭素を組み合わせた、水道水又はその他の飲料水の家庭用として好適な浄水器に関するものである。
【背景技術】
【０００２】
現在の水道水に含まれる各種無機、有機物質、各種金属イオンなど、特に塩素、発ガン性物質の混入などの水道水にも健康に悪い影響を及ぼす物質が、問題になってきている。そのため、各小売店、スーパーでは、逆浸透膜フィルターを使用した浄水器が設置され、非常に上質な飲料水を入手することが一般的になっている。
上記の装置(浄水器)の場合、外部の使用済み浄水が給水口を逆に伝わって、有害物質が貯水タンクに流入したときに大きな健康被害を与えることがあるが、それを防止する装置(浄水器)は従来無かった。
【０００３】
本願出願に関わる技術分野の特許文献としては、例えば次のようなものがある。
【特許文献１】特開２００７−２９８３６号公報
【特許文献２】特開２００４−２２３３３１号公報
【０００４】
［特許文献１］では、逆浸透膜を使用したフィルター装置が開示されているが、吸水圧が高すぎる場合のバイパスライン及び当該ラインの逆止弁であって、本来の給水ライン上には設けられていない。また、抗菌イオンを添加する手段はあるが、常時添加され、停止時に動作するものではないし、その抗菌イオンの除去機能は無い。
［特許文献２］は、浄水器の濾過フィルターの取り付けや内部構造形態に関するものであり、本願出願のように、貯水タンク水、又は給水パイプ内部の水、又は外部からの汚染水を防御するものではない。
【発明の開示】
【発明が解決しようとする課題】
【０００５】
浄水器において、外部の使用済み水が給水口から逆流し貯水タンクに入り、有害な有機物質が混入・繁殖することによって、使用者の健康に非常に被害をもたらすという課題がある。
本願発明は、上述したような問題点を解決し、家庭用の浄水器として好適で、利便性に優れ、効率的で、より高純度で、より上質な飲料水が得られ、小型化が可能となる構造または機能を備える浄水器を提供する。
【課題を解決するための手段】
【０００６】
本願発明の浄水器は、次のような手段を用いる。
（１）少なくとも活性炭フィルター、逆浸透膜フィルター、及びイオン交換樹脂フィルターのそれぞれが、水に溶出しない十分な防錆性能を持った素材からなる３本の円筒体の内部に装着され、この３本の円筒体などの筒体に近接して(例えばその後方には)前記フィルターを通して処理された浄水を貯水する貯水タンクが設置された構成を有する浄水器であって、所定の吸水ポンプで浄水の給水可能な構造であり、給水口には逆流防止弁が設けられ、凹部付きの貯水タンク、排水機能付きの給水管、有機物質検出機能などを持つ。
【０００７】
本願発明の浄水器は、より具体的な手段として、
所定のモータで駆動される給水ポンプによって、前記貯水タンクから給水管を通して浄水を吸水して給水口から出水を行い、
前記給水管内の給水口に近接した箇所には、給水の流れを止めるための第１閉止弁を設け、
前記第１閉止弁により閉止された箇所から残留水を吸水して外部に排水するための残留水排水パイプを設け、
前記残留水排水パイプは、残留水を吸水するための先端部と排水するための後端部とを有し、前記後端部側の内部には逆流防止用の第２閉止弁を設け（通常の排水が逆流しない構造を有しており）、
前記第１閉止弁の閉止時には、前記残留水を、前記残留水排水パイプの先端部から前記第２閉止弁を通して前記後端部から排水する手段を備えている。
ここで、残留水を外部に排水するための残留水排水パイプの設置については、給水管の内部を通して配設してもよいし、給水管の外部を通して配設してもよい。
【０００８】
（２）(１)の浄水器において、
前記浄水器は、給水口から他の水が逆流しないように、逆止弁を有し、閉止時には給水パイプ内に残った浄水を排水するための残留水排水パイプを有する。
また、空気弁を有して、排水時に空気が流れ込む構造であっても良い。
また、逆止弁と同様な構造物が残留水排水パイプの排水側に設置しても良い。
また、又使用開始時には給水管の残留水を必ず排水されているとしても良い。
【０００９】
（３）(１)または(２)の浄水器において、
前記浄水器は、金属製給水パイプに給水停止時に微弱な電流を微弱電流供給線で流し、給水口より進入した有害な有機成分（細菌など）が繁殖しない条件を残留浄水に与え、有機成分の被害の発生を防ぐ。
【００１０】
（４）(１)の浄水器において、
前記浄水器の貯水タンクの下部に貯水用凹部または貯水用第２タンクを設け、その貯水タンクの下面より給水ポンプは貯水された浄水を吸い上げるように構成する。このとき、貯水用凹部または貯水用第２タンクは、貯水タンクの下部に隔壁(境界)を介して直接連結接続させて設けてもよいし、貯水タンクと離間して別個に設けてもよい。そして、もし停電などで、ポンプの動作が中断して、給水口又は空気弁から空気が入ったとき、給水パイプに残留していた水はその量と等分の量又はそれ以上に設定された貯水用凹部または貯水用第２タンクに逆流して貯められ、貯水タンク全域に瞬時に拡散しないように貯水タンクとの境界(凹部上面)には隔壁が設けられている。
ここで、貯水タンクと貯水用凹部または貯水用第２タンクとの間に設けられた隔壁としては、水の拡散を防止する構造の隔壁と、吸水に十分な水量が流れるオリフィスが設けられた隔壁と、があり、両者が併設されるとよい。
そのとき、貯水用凹部または貯水用第２タンクの水中に顕微鏡を持つ画像解析装置を設置しておいて、有機成分を検出した場合は直ちに警告し通常の動作は中止し、浄水による洗浄動作に自動的に入り、また使用者に通告することができる。
【００１１】
（５）(４)の浄水器において、
前記浄水器は、給水・排水・浄水の各機能(手段)を備え、
有機物質検出後、直ちに浄水による洗浄動作に入り、終了したところで、再度前記顕微鏡を持つ画像解析装置によって、貯水用凹部または貯水用第２タンクの水中の有機成分を調べ、図示しない電気的センサーによって特段に検出されたものがなければ、通常動作に復帰する、とすることができる。
【発明の効果】
【００１２】
本願発明によれば、表示機、音声発生器、を備えた小型の浄水器において、本願に特有な手段を用いることによって、給水口は他の物質が混入しにくい構造を有し、また、別の経路で貯水タンクあるいは給水パイプに有機物質が混入あるいはそれにより汚濁した場合には、直ちに混入が有機物質確認の画像解析装置(画像検出装置)により確認され、そのときは自動洗浄を浄水によって行い、顕著な洗浄効果を得ることができ、汚染後の装置を速やかに汚染前の状態に復帰することが可能である。
【発明を実施するための最良の形態】
【００１３】
以下、本願発明の実施の形態を図１〜７を参照して説明する。それぞれの図は、図１は本願発明による浄水器の外観斜視による全体図、図２は本浄水器の後面図、図３は本浄水器の正面図、図４は本浄水器の側面図及び構造説明図、図５は本浄水器の閉止弁の説明図、図６は本浄水器の空気弁の説明図、図７は本浄水器の給水ポンプと閉止弁の説明図、図８は、本浄水器において、残留水を外部に排水するための排水パイプを給水管の外部を通して配設した例を示す図、図９は本浄水器において排水パイプ付近の構造例を示す図、である。
本願発明による浄水器１は、図１〜４に示すように、前面に活性炭フィルター、及び、逆浸透膜フィルター、イオン交換樹脂が、それぞれ円筒形の内部に装着され、筒は十分な防錆性能を持った材質からなり、当該筒を３本前面に設置し、またその後方に透明な貯水タンクを具備して、満水であることを知らせることができる。
【００１４】
＜実施例１＞
まず、本発明の実施例１にかかる浄水器１(装置)は、図１の全体図に示されるように、活性炭フィルター２、逆浸透膜フィルター３、イオン交換樹脂４、の３つのフィルターを、３本の筒に内蔵し、装置の前面の位置することを特徴としている。
また、図４の浄水器１の側面図において、貯水タンク4-3（透明であっても良い）を、前記３種類のフィルター筒(２,３,４)に近接した後方に位置して、貯水量を見やすくし、また、構成を小型化することを可能にしている。
【００１５】
図１の浄水器１の全体図の上部に位置する給水パイプ５は回動可能になっており、そして、先端に蛇腹(ジャバラ)5-1を有し、角度を自在に変えることができる。浄水は、貯水タンク4-3の下部から図２の給水ポンプ2-10を使用して、電気的に駆動し、給水口5-2まで浄水を供給する。
この給水口5-2は、閉止弁(第１閉止弁)5-23(図４と図５参照)を有し、その閉止弁5-23の近傍には残留水排水パイプ5-22の片端が設置され、閉止弁5-23は給水ポンプ2-10により発生する水圧により、ばね部材の力に抗して閉止弁5-23を開けて、浄水を給水し、また同じく空気弁5-25(図６参照)については、給水パイプの中ほどに設けられていて、そのときフロートが上方に押し付けられて、空気が入らないような弁の構造となっている。
【００１６】
図４の浄水器では、給水ポンプ2-10が動作していないときは、給水口5-2の位置で給水は閉止弁(第１閉止弁5-23)がばねの反発力で閉止され、給水が停止される(図５参照)。給水が停止されると、給水パイプに水が残留することとなるが、図６に示すように、空気弁5-25内部のフロートがパイプ中の水圧が、給水ポンプ2-10が停止して圧力がほぼゼロになると下方に下がってきて上記穴より空気が流入することにより、サイホンの原理が生じ、給水パイプ内の残留水は残留水排水パイプ5-22を通して排水されることとなる。
【００１７】
図４の浄水器では、図７に示すように、残留水排水パイプ5-22は、給水パイプ５の内部を通しての排水側に装置された、逆流防止のための閉止弁(第２閉止弁5-23')に通じていて、給水パイプ内の残留水は強制的に排水される。すなわち、給水パイプ内部に残留された水は上記空気弁5-25から流入された空気によって、閉止弁(第２閉止弁5-23')を通過して、排水パイプ4-2を通して排水される。
【００１８】
ここで、図９の排水パイプ付近の構造図を用いて、排水パイプ4-2近傍の図について説明をする。
排水パイプ4-2は基本的に逆浸透膜の排水パイプである。その右横に各種排水パイプが接続されたパイプがあり、その主たる機能は、貯水用凹部3-10を通して貯水タンク4-3の浄水を底穴3-10からドレンパイプ2-2を通し、その先の貯水強制排水電磁弁4-22によって貯水タンク4-3の浄水を強制的に排水する、というものである。そのパイプが接続されている各種排水接続パイプ4-20の上部には、閉止弁5-23Ａと閉止弁5-23Ｂとが設置されたパイプがあり、図で示すように、このパイプは給水ポンプ2-10と給水パイプ5に接続されている。通常は、貯水タンク4-3の浄水は、凹部3-10から底穴3-10を通過し、さらに、ドレンパイプ2-2を通過し、その横からポンプ入水パイプ4-21を通過して、給水ポンプ2-10に浄水が導かれる。次に給水ポンプ2-10から給水パイプ5に浄水が流れるが、給水ポンプ2-10が停止した場合には、給水パイプに残った浄水は閉止弁5-23Ａと閉止弁5-23Ｂを通じて、各種排水接続パイプ4-20から排水される。また、前述のように残留水排水パイプ5-22は、閉止弁2-23‘を通して、各種排水接続パイプ4-20から排水される。
【００１９】
つぎに、閉止弁5-23Ａと閉止弁5-23Ｂとの違いについて説明する (図７および図９を参照)。閉止弁5-23Ａは、その弁閉止ばね圧は弱く、通常の浄水中は排水圧力で閉止し、残留水が給水パイプに残っている場合はその重量で開く構成となっている。一方、閉止弁5-23Ｂは、その弁閉止ばね圧は給水ポンプ2-10の動作中はその水圧で閉止され、給水ポンプが停止中においては、その圧力が無いため、残留水の圧力がある場合は開く構成となっている。したがって、給水パイプ５内部の浄水が汚染されることは無い。
【００２０】
＜実施例２＞
本発明の実施例２にかかる浄水器(装置)は、金属パイプ製の給水パイプ5を持ち、ここに図２にある微弱電流供給線5-21から微弱電流を通電する手段を備え、金属は微弱電流を流しても、金属が全く浄水中に解けることない種類の金属から構成されており、また、電流も所定の値であることとし、給水口より進入した有害な有機成分（細菌など）が繁殖しない条件を残留浄水に与え、有機成分の被害の発生を防ぐことができる。
【００２１】
＜実施例３＞
本発明の実施例３にかかる浄水器(装置)は、図２の後面図において、給水ポンプ2-10が浄水器１の本体の下部に位置しており、給水時には、前記給水ポンプ2-10で貯水タンクから給水パイプに浄水を供給する。ここで、貯水タンク4-3の形態は、タンク底部に貯水用の凹部3-10を設けている。この凹部3-10は、給水パイプ5中に充填される浄水とほぼ同量、又はそれ以上に容量を有するものとしており、給水パイプ５内部から浄水が逆流した場合も一時底部のこの凹部3-10に止めおかれ、急速に貯水槽に拡散することが防御され、貯水槽の汚染は最低限に抑制されるように構成されており、そのために、貯水槽の凹部3-10上面に、透明カバー3-12が設置されるとよい。
また、この貯水用の凹部3-10については、図示はしていないが、同容量の個別タンク(貯水用の第２タンク)として構成してもよい。そして、第２タンクの場合には、凹部3-10のように貯水タンク4-3の底部に直接に連結接続させずに、貯水タンク4-3とは独立的に配置設定することができる。
【００２２】
＜実施例４＞
本発明の実施例４にかかる浄水器(装置)には、図２の後面図において、顕微鏡4-10と画像検知装置4-11とが設置されており、顕微鏡4-10の結像位置は、底面の凹部3-10の中心付近の透明カバー3-12の下の底面側にある底面側結像面3-13にある。これらによって、逆流水の汚濁、細菌の有無、及び、透明カバー3-12の上の油性成分の検出、有機物質の有無及び繁殖の確認、などが可能である。ここでは、給水口5-2から逆に流れ込んだ汚染物資の確認ができ、図示していないが電気的センサーによって、ほとんどの汚濁成分の検出が可能である。
汚染物質が確認されたときには、図４に示す貯水タンク4-3から自動的に排水パイプ4-2によって排水させることができ、また、図３に示すように設置された音声出力スピーカー5-6及び表示ＬＣＤ装置5-5のいずれかまたは両方を用いることにより、使用者に注意を呼びかけ、通常動作を中断させることができる。
【００２３】
＜実施例５＞
本発明の実施例５にかかる浄水器(装置)は、前記実施例の図４で示すごとく、汚染の疑いのある貯水タンク4-3内部の浄水は全て排水され、通常表示されることの無い赤色ＬＥＤ5-20が点滅されて、使用者に異常が発生したことをより知らしめることができる。また、この時点において、図１に示す通常の連続スイッチ5-3による動作は中断され、動作しなくなる。この時点で、使用者はメンテナンサーに通知し、異常を通知する。メンテナンサーは、ただちに、水質検査を行い、給水口の状況を調査し、図示しないが隠れモードを使用して、浄水器を動作させることができる。この状態ではまだ汚染物質が残留している可能性はある。
【００２４】
＜実施例６＞
本発明の実施例６にかかる浄水器(装置)は、前記実施例５における例で述べる汚染物質を浄水器の浄水を使用して、貯水タンク4-3の内部から給水管5の内部までを十分に洗浄するプロセスが自動的に働き、通常の汚染や汚濁は容易に除去される、ことを特徴とする浄水器である。
【００２５】
＜実施例７＞
本発明の実施例７にかかる浄水器(装置)は、前記実施例６に示される装置において、図２で示される、排水後再度貯水タンク4-3に貯水された状況において、前記貯水タンク4-3浄水器(装置)は、底部の凹部3-10に近接配置された顕微鏡4-10及び画像検知装置4-11において、前記有機物質の含有及び水に汚染が無いことが確認されたときには、所定の時間浄水がきれいな状態であることが確認されたとして、その後、自動的に通常の操作に復帰することを特徴とする浄水器である。
ここでは、浄水の状態の確認手段として、顕微鏡4-10と画像検知装置4-11とを用いているが、これらの装置に代わって電気的センサー(図示しない)を用いることができるし、また電気的センサーをこれら装置に組み合わせて用いてもよい。
【００２６】
ここで、図８を参照して、本発明による浄水器における排水パイプの配置設定について説明する。図４および図７の浄水器においては、残留水を外部に排水するための排水パイプ5-22は給水管５の内部を通る構造として設計したものであるが、これに限らず、排水パイプ5-22を給水管５の内部を通らない構造とすることも可能である。
図８(１)は、浄水器の給水パイプ５の先端側を示す外観図であり、給水パイプ５−蛇腹部5-1−口元部5-2がパイプ状に連結接続されていて、蛇腹部5-1−口元部5-2の境界付近の内部には、第１閉止弁5-53を備えている。
図８(２)は、図８(１)の構造の物において、給水パイプの外側の長手方向に従って排水パイプ5-22を添設して配置した例を示す外観図である。
図８(３)は断面による説明図であって、排水パイプ5-22の先端部を外側から内部に貫通させて、第１閉止弁5-53が配設された所定の位置に配置設定させた例を示すものであり、第１閉止弁5-53が閉鎖されたときには、第１閉止弁5-53から内側に滞留した残留水を、排水パイプ5-22によって給水して外部に排水することができる。
【図面の簡単な説明】
【００２７】
【図１】本発明の浄水器の一実施形態例を示す外観斜視による全体図であり、当該浄水器の全体の構造及び形態を示すものである。
【図２】本発明の図１の浄水器の後面図であり、当該浄水器の後部の形態を示し、排水穴、加圧ポンプ、凹部、給水ポンプ、顕微鏡、画像検知装置、結像位置の表示、照明、カバー底面側位置の表示、水流オリフィス、透明カバー、などを具備する形態及び構造を示す。
【図３】本発明の図１の浄水器の正面図であり、当該浄水器の前面パネルの各種スイッチ、表示ＬＣＤ、音声出力スピーカーなどを具備する形態、構造を示す。
【図４】本発明の図１の浄水器の側面図であり、当該浄水器の側面からの貯水タンク、水の入水口、青色ＬＥＤ、赤色ＬＥＤ、照明、及び、閉止弁、残留水排水パイプ、空気弁、閉止弁、給水・排水パイプの構造及び形態を示す。
【図５】本発明による浄水器における閉止弁の説明図である。
【図６】本発明による浄水器における空気弁の説明図である。
【図７】本発明による給水ポンプと閉止弁の説明図である。
【図８】本発明による浄水器において、残留水を外部に排水するための排水パイプを給水管の外部を通して配設した例を示す図である。
【図９】本発明による浄水器において、排水パイプ付近の構造の一例を示す図である。
【符号の説明】
【００２８】
１          本発明による浄水器（浄水装置）
２          活性炭フィルター部
２−２      ドレンパイプ
２−１０    給水ポンプ
３          逆浸透膜フィルター部
３−１０    貯水用の凹部
３−１１    流水オリフィス
３−１２            隔壁 (透明カバー)
３−１３    底面側結像面
４          イオン交換樹脂フィルター部
４−１      入水パイプ
４−２      排水パイプ(残留水排水パイプ)
４−３      貯水タンク
４−４      青色ＬＥＤ
４−１０    顕微鏡
４−１１    画像検出装置
４−２０    各種排水接続パイプ
４−２１    ポンプ入水パイプ
４−２２    貯水強制排水電磁弁
４−２３    ＲＯフィルター排水(逆浸透膜)
５          給水パイプ
５−１      蛇腹
５−２      給水口
５−３      連続スイッチ
５−４      自動スイッチ
５−５      表示ＬＣＤ
５−６      音声出力スピーカー
５−７      言語スイッチ
５−８      音声スイッチ
５−９      照明スイッチ
５−１０    リセットスイッチ
５−１１    電源ＬＥＤ表示
５−２０    赤色ＬＥＤ
５−２１    微弱電流供給線
５−２２    残留水排水パイプ
５−２３    閉止弁（第１閉止弁、水口側）
５−２３'  閉止弁（第２閉止弁、排水側）
５−２３Ａ  閉止弁（第３閉止弁、排水側）
５−２３Ｂ  閉止弁（第４閉止弁、排水側）
５−２５    空気弁
【図１】
2008272693.tif 000003
【図２】
2008272693.tif 000004
【図３】
2008272693.tif 000005
【図４】
2008272693.tif 000006
【図５】
2008272693.tif 000007
【図６】
2008272693.tif 000008
【図７】
2008272693.tif 000009
【図８】
2008272693.tif 000010
【図９】
2008272693.tif 000011